(57)【要約】【課題】本発明は、簡単な構成で効率的に選局動作を自動的に設定することができる選局装置及びそれを備えたテレビジョン受像機を提供することを目的とするものである。【解決手段】マイコン２は、制御に必要な演算処理を行うＣＰＵ２０、選択チャンネル情報として１週間分の選択チャンネル値を選択時間帯ごとに記憶するチャンネルテーブル２２、チャンネル別に設定時間をカウントして記憶するチャンネルレジスタ２３、曜日及び時刻データを出力するタイマ２４を備えており、選択時間帯ごとにチャンネル別の設定時間をカウントして最長の設定時間のチャンネルを選択チャンネル値としてチャンネルテーブル２２に随時更新登録する。【選択図】図１
2006086567.tif 000002
【特許請求の範囲】
【請求項１】
複数のチャンネルの放送信号を受信する受信部と、各曜日の選択時間帯毎に選択チャンネル情報を記憶する記憶部と、前記記憶部に記憶された選択チャンネル情報を読み出して前記受信部の選局制御を行う制御部とを備えた選局装置であって、前記制御部は、各曜日の選択時間帯において選択されたチャンネル別にその設定時間をカウントする時間算出手段と、時間算出手段によりカウントした設定時間に基づいて最長の設定時間のチャンネルを判定するチャンネル判定手段と、チャンネル判定手段により判定されたチャンネルを当該選択時間帯の選択チャンネル情報として前記記憶部に登録する更新登録手段とを備えていることを特徴とする選局装置。
【請求項２】
前記制御部は、電源投入時の曜日及び時刻を判定する時刻判定手段と、時刻判定手段により判定された曜日及び時刻がその属する選択時間帯において前半部分に属するか否か判別する判別手段と、前記判別手段が属すると判別した場合に当該選択時間帯の選択チャンネル情報に基づいて選局制御を行うとともに属しないと判別した場合には当該選択時間帯の次の選択時間帯の選択チャンネル情報に基づいて選局制御を行う選局制御手段とを備えていることを特徴とする請求項１に記載の選局装置。
【請求項３】
請求項１又は２に記載の選局装置を備えていることを特徴とするテレビジョン受像機。
【発明の詳細な説明】
【技術分野】
【０００１】
本発明は、テレビジョン放送のように複数のチャンネルの放送信号を受信して特定のチャンネルを選局する選局装置及びそれを備えたテレビジョン受像機に関する。
【背景技術】
【０００２】
テレビジョン放送のように多チャンネル化が進展してくると、視聴者が見たい番組のチャンネルを選択する場合、多くのチャンネルの中からそのチャンネルだけを正確に記憶しておくことは困難になる。そのため、放送番組情報誌等を見て該当するチャンネルを見つけ出すことになるが、チャンネル数が多くなってくると、視聴者にとって大きな負担となってくる。
【０００３】
そのため、従来よりテレビジョン受像機において自動的に選局動作を行うような改良工夫が提案されている。例えば、テレビジョン受像機の電源投入時に前回の電源切断時に選択されていたチャンネル情報を読み出して選局動作することが行われている。また、特許文献１では、見た番組のチャンネルデータとその曜日、時刻データとを対応付けた受信履歴データを、１週間分順次各曜日ごとに更新して記憶しておき、電源キーによる電源オンの際にその時の曜日、時刻データに対応する受信履歴データに基づいて受信チャンネルを設定した点が記載されている。特許文献２では、利用者が頻繁に選択して受信するチャンネルを収集した頻度表を作成し、電源オン時の時間帯に頻度表を検索して所定頻度以上のチャンネルがあった場合にそのチャンネルを自動的に選択するようにした点が記載されている。
【特許文献１】特開平６−３１１４４３号公報
【特許文献２】特開平１１−２６６４０６号公報
【発明の開示】
【発明が解決しようとする課題】
【０００４】
上述したように、前回の電源オフ時のチャンネルを電源オン時に選局することは、例えば、前日の夜に視聴していた番組のチャンネルがそのまま翌日の朝にチャンネル選択されることになり、視聴者の望む番組が必ずしも表示されない。
【０００５】
また、特許文献１では、毎時間帯ごとに１５分以上視聴した場合にそのチャンネルが選局開始時刻及び選局終了時刻とともに登録されるようになっており、各時間帯で最大４つのチャンネルが選択される可能性がある。そのため、１週間分の受信履歴データのメモリ容量が大きくなってしまう。また、１週間分のデータを一斉に更新するため、例えば、１週間旅行等で外出していて視聴していなかった場合の翌週ではうまく機能しなくなる。
【０００６】
また、特許文献２では、頻度表を更新するために過去のデータを積算して記憶しておく必要があり、メモリ容量の増大及びシステム負担が大きく、さらに所定頻度以上でないと選局されないため、最新の選局動作が反映されるまで時間がかかる欠点がある。また、電源オン時に頻度表を検索するためその分選局動作に時間がかかってしまうおそれがある。
【０００７】
そこで、本発明は、簡単な構成で効率的に選局動作を自動的に設定することができる選局装置及びそれを備えたテレビジョン受像機を提供することを目的とするものである。
【課題を解決するための手段】
【０００８】
本発明に係る選局装置は、複数のチャンネルの放送信号を受信する受信部と、各曜日の選択時間帯毎に選択チャンネル情報を記憶する記憶部と、前記記憶部に記憶された選択チャンネル情報を読み出して前記受信部の選局制御を行う制御部とを備えた選局装置であって、前記制御部は、各曜日の選択時間帯において選択されたチャンネル別にその設定時間をカウントする時間算出手段と、時間算出手段によりカウントした設定時間に基づいて最長の設定時間のチャンネルを判定するチャンネル判定手段と、チャンネル判定手段により判定されたチャンネルを当該選択時間帯の選択チャンネル情報として前記記憶部に登録する更新登録手段とを備えていることを特徴とする。さらに、前記制御部は、電源投入時の曜日及び時刻を判定する時刻判定手段と、時刻判定手段により判定された曜日及び時刻がその属する選択時間帯において前半部分に属するか否か判別する判別手段と、前記判別手段が属すると判別した場合に当該選択時間帯の選択チャンネル情報に基づいて選局制御を行うとともに属しないと判別した場合には当該選択時間帯の次の選択時間帯の選択チャンネル情報に基づいて選局制御を行う選局制御手段とを備えていることを特徴とする。
【０００９】
本発明に係るテレビジョン受像機は、上記の選局装置を備えていることを特徴とする。
【発明の効果】
【００１０】
上記のような構成を有することで、各曜日の選択時間帯毎に記憶された選択チャンネル情報を、各曜日の選択時間帯において選択されたチャンネルの中で最長の設定時間のチャンネルに基づいて更新するようにしているので、選択チャンネル情報は各曜日の選択時間帯ごとに１つずつ記憶されメモリ容量が少なくて済み、さらに最新の選局動作に基づいて常に更新され視聴者の現在の選局パターンに沿って自動的に選局動作が行われるようになる。そして、選択時間帯ごとに更新されていくため、しばらく視聴されなかった選択時間帯についても選択チャンネル情報が消去されずに記憶されており、例えば深夜の時間帯に１ヶ月ごとに放送される番組に対しても自動的に選局動作が行われる。
【００１１】
また、電源投入時の曜日及び時刻のデータからその属する選択時間帯において前半部分に属するか否か判定し、前半部分に属する場合はその選択時間帯の選択チャンネル情報に基づいて選局制御し、前半部分に属さない場合には次の選択時間帯の選択チャンネル情報に基づいて選局制御することで、視聴者が見たい番組の開始時刻よりも早く電源を入れた場合にそのチャンネルが自動的に選択されるようになる。
【発明を実施するための最良の形態】
【００１２】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１３】
図１は、本発明に係る実施形態に関する全体ブロック図を示している。テレビ受像機１は、装置全体の制御を行うマイコン２、テレビアンテナにより受信した放送電波から指定チャンネルの放送電波を選局して映像信号及び音声信号を取り出すチューナ３、取り出された映像信号を処理してモニタ５に映像を表示させる映像情報処理回路４、取り出された音声信号を処理してスピーカ７に出力する音声情報処理回路６、初期設定に必要なデータ及びプログラム等を記憶するＥＥＰＲＯＭ８、リモコン１０からの操作信号を受信する操作信号受信部９を備えている。
【００１４】
リモコン１０を操作して、電源オンの操作信号又はチャンネルの選択信号等が操作信号受信部９に送信され、操作信号受信部９からマイコン２に入力される。マイコン２では、操作信号に応答してＣＰＵ２０が制御処理を行うようになっている。
【００１５】
マイコン２には、制御に必要な演算処理を行うＣＰＵ２０、プログラムやチャンネル表示に必要な画像データ等を記憶するＲＯＭ２１、選択チャンネル情報として１週間分の選択チャンネ値を選択時間帯ごとに記憶するチャンネルテーブル２２、チャンネル別に設定時間をカウントして記憶するチャンネルレジスタ２３、曜日及び時刻データを出力するタイマ２４を備えている。
【００１６】
チャンネルテーブル２２及びチャンネルレジスタ２３は、ＲＡＭの中にそれぞれ記憶領域が構築される。また、ＲＡＭの中には、電源オフ時に選局されていたチャンネルデータも記憶されるようになっている。
【００１７】
図２は、チャンネルテーブル２２を説明する図である。チャンネルテーブル２２は、日曜日（Ｓｕｎ）から土曜日（Ｓａｔ）までの１週間について、０時００分〜１時００分、１時００分〜２時００分、・・・、２２時００分〜２３時００分、２３時００分〜０時００分の２４の選択時間帯別に１つの選択チャンネル値Ｃka〜Ｃkgを記憶している。選択チャンネル値には１バイトのメモリ容量で十分なことから、チャンネルテーブル２２全体でも２４×７＝１６８バイトのメモリ容量だけで済む。チャンネル値は、ある選択時間帯においてチャンネルが選局されると、その選択時間帯で最長の設定時間のチャンネルに基づいて更新されるようになっている。
【００１８】
図３は、チャンネルレジスタ２３を説明する図である。チャンネルレジスタ２３は、選択可能なチャンネル１ｃｈからＮｃｈについて、チャンネルテーブル２２の選択時間帯内で設定時間を１分ごとにカウントしたカウント値ｋ1〜ｋNがチャンネル別に記憶されている。そして、選択時間帯が移行するごとにカウント値はクリアされるようになっている。例えば、９時３０分に視聴を開始した場合、１０時００分になるまで選局されたチャンネル別にその設定時間を１分ごとにカウントし、現在時刻が１０時００分になると、選択時間帯が移行するためチャンネルレジスタ２３のカウント値をいったんクリアし、カウントを再開するようになっている。選択時間帯ごとにクリアされるため、カウント値のメモリ容量は２バイトで十分であり、チャンネルレジスタ２３全体のメモリ容量は２×Ｎバイトで済む。
【００１９】
チャンネルテーブル２２及びチャンネルレジスタ２３のメモリ容量は、上述したように小さく設定することができることから、ＲＡＭの記憶領域を効率化することができる。
【００２０】
図４は、電源オン時に自動的に選局処理を行うためのフローを示している。電源がオンされたかチェックし（Ｓ１００）、電源オンが検知されると、タイマ２４の時刻設定が行われているかチェックされる（Ｓ１０１）。時刻設定が行われている場合には、電源オン時の曜日と時刻データをタイマの出力信号から取得する（Ｓ１０２）。そして、時刻データに関して分データが３０分以下であるかチェックされる（Ｓ１０３）。例えば、電源オンした時刻が９時３８分であれば、３０分を超えるためＮＯとなり、９時２４分であれば３０分以下のためＹＥＳとなる。すなわち、ステップＳ１０３では、電源オンの時刻が属する選択時間帯の１時間の中で前半部分（３０分まで）に属するか否かが判別される。
【００２１】
ステップＳ１０３で３０分以下と判別された場合には、取得した曜日及び時刻データを含む選択時間帯の選択チャンネル値をチャンネルテーブル２２から読出し（Ｓ１０５）、選局処理を行う（Ｓ１０７）。ステップＳ１０３で３０分を超えると判別された場合には、取得した曜日及び時刻データを含む選択時間帯の次の選択時間帯の選択チャンネル値をチャンネルテーブル２２から読出し（Ｓ１０４）、選局処理を行う（Ｓ１０７）。例えば、電源オンした時刻が日曜日の９時２４分であれば、選択時間帯が９時００分〜１０時００分の日曜日の選択チャンネル値Ｃ10aが読み出されてそのチャンネルを選局するようにマイコン２からチューナ３に制御信号が送信される。また、電源オンした時刻が日曜日の９時３８分であれば、選択時間帯は９時００分〜１０時００分であるが次の選択時間帯１０時００分〜１１時００分の日曜日の選択チャンネル値Ｃ11aが読み出されてそのチャンネルを選局するようにマイコン２からチューナ３に制御信号が送信される。
【００２２】
電源オン時にこのように自動選局されることで、視聴者が見たい番組の開始時刻前に電源を入れた場合にもその番組の放送チャンネルが選局されるようになる。すなわち、番組の開始時刻は、９時ちょうど開始−といったように設定される場合が多く、そのため視聴者は、その１０分程度前に電源を入れる行動パターンをとることが想定されることから、選択時間帯の前半部分を過ぎた場合には次の選択時間帯の選択チャンネル値に基づいて選局を行えば、視聴者の行動パターンに即した自動選局を行うことができる。
【００２３】
ステップＳ１０１において、時刻設定がされていない場合には、前回の電源オフ時のチャンネル値を読み出して（Ｓ１０６）自動選局を行う（Ｓ１０７）。時刻が設定されていないと、電源オン時の曜日及び時刻データが取得できないため、ステップＳ１０３以降の処理を行うことができない。そのため、前回の電源オフ時のチャンネル値を用いて自動選局を行うようにする。
【００２４】
図５は、各選択時間帯でのチャンネル別の設定時間をカウントする処理フローを示している。まず、チャンネルが選局されたかチェックされ（Ｓ２００）、チャンネルが選局されるとタイマＴがカウントを開始する（Ｓ２０１）。そして、選局されたチャンネルが継続されているかチェックし（Ｓ２０２）、継続されている場合には電源がオフされたかチェックする（Ｓ２０３）。電源がオフされていない場合にはタイマＴのカウント値が１分経過したかチェックされる（Ｓ２０４）。１分経過していない場合にはステップＳ２０２に戻る。１分経過した場合にはチャンネルレジスタ２３内の選局中のチャンネルに関するカウント値に１を加算する処理を行い（Ｓ２０５）、タイマＴをクリアしてステップＳ２０１に戻る。こうして、選局されたチャンネルの設定時間が分単位でチャンネルレジスタ２３内にカウントされていくようになる。
【００２５】
チャンネルが変更された場合には、ステップＳ２０２においてチャンネルが継続されていないと判定されてタイマＴがクリアされ（Ｓ２０７）、ステップＳ２００に戻り、新たに選局されたチャンネルについてカウント値の加算処理が行われるようになる。
【００２６】
電源がオフされた場合には、電源オフ時に選局されていたチャンネル値をＲＡＭに記憶して（Ｓ２０８）終了する。
【００２７】
図６は、こうしてカウントされたチャンネルレジスタ２３のカウント値に基づいてチャンネルテーブルの選択チャンネル値を更新登録する処理フローを示している。まず、タイマ２４の出力信号をチェックして現在時刻が選択時間帯（Ｘ−１）時００分〜Ｘ時００分の終了時刻であるＸ時００分かチェックされる（Ｓ３００）。Ｘ時００分に達すると、（Ｘ−１）時００分からＸ時００分までの間に電源がオンされた期間があったかチェックされる（Ｓ３０１）。電源オン期間があった場合には、チャンネルレジスタ２３内に選局された設定時間をカウントしたカウント値が記憶されているので、各チャンネルのカウント値を読み出して比較する（Ｓ３０２）。そして、比較結果に基づいて最もカウント値の大きいチャンネルを判別する（Ｓ３０３）。各チャンネルのカウント値は設定時間を分単位でカウントしているので、カウント値が最も大きいチャンネルは、その選択時間帯において最長の設定時間のチャンネルということになる。
【００２８】
判別されたチャンネルに基づいてチャンネルテーブル２２において現在の曜日の選択時間帯（Ｘ−１）時００分〜Ｘ時００分の選択チャンネル値Ｃを更新登録する（Ｓ３０４）。そして、チャンネルレジスタ２３内のカウント値をすべてクリア処理して（Ｓ３０５）終了する。なお、ステップＳ３０１で電源オン期間がない場合にはそのまま終了する。
【００２９】
以上のように、チャンネルテーブル２２内の選択チャンネル値を現在の選局チャンネル実態に対応してリアルタイムで更新していくので、常に視聴者が選択する最新のチャンネルを登録することができる。そのため、視聴者の最近の選局パターンに応じて電源オン時に自動選局されるようになり、視聴者の選局動作負担を軽減することができる。また、視聴者が日頃視聴しない選択時間帯についても１度視聴すればその選択チャンネル値がチャンネルテーブル２２に登録され、次に視聴されるまでそのデータは消去されることはないため、例えば日頃見ない深夜番組を１ヶ月周期で視聴する場合にも電源オン時に自動選局されるようになる。
【図面の簡単な説明】
【００３０】
【図１】本発明に係る実施形態に関する全体ブロック図である。
【図２】チャンネルテーブルの説明図である。
【図３】チャンネルレジスタの説明図である。
【図４】自動選局処理フローである。
【図５】チャンネルレジスタのカウント処理フローである。
【図６】チャンネルテーブルの選択チャンネル値の登録処理フローである。
【符号の説明】
【００３１】
１    テレビジョン受像機
２    マイコン
３    チューナ
４    映像情報処理回路
５    モニタ
６    音声情報処理回路
７    スピーカ
８    ＥＥＰＲＯＭ
９    操作信号受信部
10    リモコン
20    ＣＰＵ
21    ＲＯＭ
22    チャンネルテーブル
23    チャンネルレジスタ
24    タイマ
【図１】
2006086567.tif 000003
【図２】
2006086567.tif 000004
【図３】
2006086567.tif 000005
【図４】
2006086567.tif 000006
【図５】
2006086567.tif 000007
【図６】
2006086567.tif 000008